(57)【要約】【課題】低電力で施錠および開錠でき、単純な構造で信頼性が高く、小型化でき、経済的な電気錠装置を提供する。【解決手段】施錠ワイヤ３の端部に取り付けられたロックプラグ５を先端から施錠ユニット１の前面１ａの施錠穴７に挿入すると、ロックプラグの先端の施錠用引っ掛かり部５１は施錠用ロックプレート９の施錠用ロック穴９ａを貫通するので、この貫通後、施錠用ばね１３により施錠用ロックプレート９を施錠位置に押動すると、施錠用引っ掛かり部５１は施錠用ロック穴９ａの周辺部に引っ掛かって施錠状態となる。施錠状態で施錠用形状記憶ワイヤ１１に通電すると、施錠用ロックプレート９を開錠位置に押動され、施錠用引っ掛かり部５１は施錠用ロック穴９ａとの引っ掛かりから外れて開錠される。【選択図】      図２
2005029971.tif 000002
【特許請求の範囲】
【請求項１】
ロックプラグを施錠穴に挿入することにより施錠する電気錠装置であって、
前記ロックプラグが挿入される施錠穴に近接して配設され、該施錠穴から挿入されたロックプラグと掛合して施錠する施錠用ロック穴が形成される施錠用ロックプレートと、
この施錠用ロックプレートを施錠位置に付勢する施錠用付勢手段と、
一端が施錠用ロックプレートに取り付けられ、他端が任意の場所に取り付けられ、前記施錠位置に付勢されている施錠用ロックプレートを通電により収縮または伸長して開錠位置に移動させる施錠用形状記憶ワイヤと
を有することを特徴とする電気錠装置。
【請求項２】
前記施錠用ロックプレートと施錠穴との間に配設され、正常状態においては前記ロックプラグが掛合することなく通過し得る熱対策用ロック穴が形成された熱対策用ロックプレートと、
この熱対策用ロックプレートを開錠位置に付勢する熱対策用付勢手段と、
一端が熱対策用ロックプレートに取り付けられ、他端が任意の場所に固定され、前記開錠位置に付勢されている熱対策用ロックプレートを加熱により収縮または伸長して施錠位置に移動させる熱対策用形状記憶ワイヤと
を有することを特徴とする請求項１記載の電気錠装置。
【請求項３】
前記ロックプラグは、正常状態においては熱対策用ロック穴に掛合することなく通過し、前記熱対策用形状記憶ワイヤが加熱されて施錠位置に移動したときには、熱対策用ロック穴に掛合して施錠する熱対策用引っ掛かり部を有することを特徴とする請求項２記載の電気錠装置。
【請求項４】
施錠用ロックプレートが開錠位置に移動している場合、ロック穴に挿入し得るように先端がロック穴に対向して配設される開錠保持レバーと、
開錠状態では開錠保持レバーの先端を施錠用ロック穴に挿入して、施錠用ロックプレートを前記施錠用付勢手段の付勢力に抗して開錠位置に保持するように開錠保持レバーを付勢する開錠保持レバー用付勢手段とを有し、
この開錠保持レバー用付勢手段により施錠用ロックプレートを開錠位置に保持している状態において、施錠穴からロックプラグが挿入されると、ロックプラグの先端は施錠用ロック穴に挿入されている開錠保持レバーを前記開錠保持レバー用付勢手段の付勢力に抗してロック穴に挿入される
ことを特徴とする請求項１乃至３のいずれか１項に記載の電気錠装置。
【請求項５】
前記施錠用形状記憶ワイヤおよび熱対策用形状記憶ワイヤの少なくともいずれか一方は、ワイヤ長を確保するためのプーリを有することを特徴とする請求項１乃至４のいずれか１項に記載の電気錠装置。
【請求項６】
請求項１乃至５のいずれか１項に記載の電気錠装置のロックプラグに施錠ワイヤの一端を取り付け、施錠ワイヤの他端を電気錠装置に固定することにより、ワイヤ錠形式または南京錠形式の電気錠装置として使用することを特徴とする電気錠装置の使用方法。
【請求項７】
請求項１乃至５のいずれか１項に記載の電気錠装置のロックプラグを施錠ワイヤの一端に取り付け、
前記施錠ワイヤの他端および電気錠装置をそれぞれ施錠対象の一方の部位と他方の部位に固定的に取り付け、
前記施錠ワイヤの一端に取り付けられたロックプラグを施錠穴に挿入して施錠することによりチェーン錠形式の電気錠装置として使用する
ことを特徴とする電気錠装置の使用方法。
【発明の詳細な説明】
【０００１】
【発明の属する技術分野】
本発明は、ロックプラグを施錠穴に挿入することにより施錠が行われる電気錠装置およびその使用方法に関する。
【０００２】
【従来の技術】
例えば、従来のワイヤ錠や南京錠には、施錠ユニット側にシリンダを備え、番号を合わせることにより開錠するタイプのものと、独立した鍵を施錠ユニットに挿入して回転することにより開錠するタイプのものがある。
【０００３】
また、従来の電気錠としては、コイルに電流を流すことによって電磁石を動作させ、その直線運動を利用して、またはその直線運動をばねの力と組み合わせて利用して、施錠／開錠を行うソレノイド錠と呼ばれる電気錠と、モータに電流を流すことによって生じる回転運動をラックとピニオンなどを用いて直線運動に変換して施錠／開錠を行うモータ錠と呼ばれる電気錠がある。また、形状記憶合金を用いた電気錠も知られている（特許文献１）。
【０００４】
このような電気錠は、例えばパソコンや専用の開閉装置側にパスワード（暗証番号）による個人認証機能、磁気カード、ＩＣカード、ＩＣ内蔵ユニットなどを用いた個人認証機能、指紋、虹彩、掌形、静脈、顔などの生体を用いた個人認証機能を設け、この認証にパスしない限り開錠しないものであり、ワイヤ錠や南京錠に比べて極めてセキュリティの高いものである。
【０００５】
【特許文献１】
特開２０００−３５２２３９号公報
【０００６】
【発明が解決しようとする課題】
上述した従来のワイヤ錠や南京錠は、手軽に使用できる反面、番号を合わせるタイプのものでは、番号が知られてしまうと誰でも簡単に開錠することができるという問題があり、また独立した鍵を使用するタイプのものでは、鍵が盗まれたり、コピーされたりする問題がある。
【０００７】
また、従来のソレノイド錠は、例えば２４Ｖというような高い電圧で電磁石を駆動し、電流も多く流れ、消費電力が大きいため、電池での駆動には適さず、通常ＡＣ１００Ｖの電源からの動作電力の供給が必要となり、大型かつ高価であり、消費電力が大きいという問題がある。
【０００８】
更に、従来のモータ錠は、例えばリミットスイッチなどの制御部品が必要でありかつ機構が複雑であることから構造上小型化が難しいとともに、また高価であるという問題がある。
【０００９】
本発明は、上記に鑑みてなされたもので、その目的とするところは、低電力で施錠および開錠でき、単純な構造で信頼性が高く、小型化でき、経済的な電気錠装置を提供することにある。
【００１０】
【課題を解決するための手段】
上記目的を達成するため、請求項１記載の本発明は、ロックプラグを施錠穴に挿入することにより施錠する電気錠装置であって、前記ロックプラグが挿入される施錠穴に近接して配設され、該施錠穴から挿入されたロックプラグと掛合して施錠する施錠用ロック穴が形成される施錠用ロックプレートと、この施錠用ロックプレートを施錠位置に付勢する施錠用付勢手段と、一端が施錠用ロックプレートに取り付けられ、他端が任意の場所に取り付けられ、前記施錠位置に付勢されている施錠用ロックプレートを通電により収縮または伸長して開錠位置に移動させる施錠用形状記憶ワイヤとを有することを要旨とする。
【００１１】
請求項１記載の本発明にあっては、施錠穴から挿入されたロックプラグは施錠用ロックプレートの施錠用ロック穴を貫通すると、施錠用付勢手段により施錠用ロックプレートが施錠位置に押動され、引っ掛かり掛合して施錠状態になる。また施錠用形状記憶ワイヤが通電されると、この通電により施錠用形状記憶ワイヤ自身が発熱し、この発熱で施錠用形状記憶ワイヤが収縮または伸長し、施錠用ロックプレートを開錠位置に移動させる。ロックプラグは施錠用ロック穴との掛合が外れて開錠されるため、従来の電気錠装置のようにソレノイドやモータを使用することなく低電力で作動する電気錠装置を単純な構造で経済的に構成でき、小型化および信頼性の向上を図ることができる。
【００１２】
また、請求項２記載の本発明は、請求項１記載の発明において、前記施錠用ロックプレートと施錠穴との間に配設され、正常状態においては前記ロックプラグが掛合することなく通過し得る熱対策用ロック穴が形成された熱対策用ロックプレートと、この熱対策用ロックプレートを開錠位置に付勢する熱対策用付勢手段と、一端が熱対策用ロックプレートに取り付けられ、他端が任意の場所に固定され、前記開錠位置に付勢されている熱対策用ロックプレートを加熱により収縮または伸長して施錠位置に移動させる熱対策用形状記憶ワイヤとを有することを要旨とする。
【００１３】
請求項２記載の本発明にあっては、熱対策用付勢手段で開錠位置に付勢されている熱対策用ロックプレートに取り付けられている熱対策用形状記憶ワイヤが加熱されると、この熱対策用形状記憶ワイヤの収縮または伸長により熱対策用ロックプレートを施錠位置に移動させるため、外部から熱を加えられても不正に開錠することがなく、信頼性の高い電気錠装置を実現することができる。
【００１４】
更に、請求項３記載の本発明は、請求項２記載の発明において、前記ロックプラグは、正常状態においては熱対策用ロック穴に掛合することなく通過し、前記熱対策用形状記憶ワイヤが加熱されて施錠位置に移動したときには、熱対策用ロック穴に掛合して施錠する熱対策用引っ掛かり部を有することを要旨とする。
【００１５】
請求項３記載の本発明にあっては、熱対策用形状記憶ワイヤが加熱されて施錠位置に移動すると、熱対策用引っ掛かり部が熱対策用ロック穴に掛合して施錠するため、外部から不正に熱を加えられても不正に開錠することがなく、信頼性の高い電気錠装置を実現することができる。
【００１６】
請求項４記載の本発明は、請求項１乃至３のいずれか１項に記載の発明において、施錠用ロックプレートが開錠位置に移動している場合、ロック穴に挿入し得るように先端がロック穴に対向して配設される開錠保持レバーと、開錠状態では開錠保持レバーの先端を施錠用ロック穴に挿入して、施錠用ロックプレートを前記施錠用付勢手段の付勢力に抗して開錠位置に保持するように開錠保持レバーを付勢する開錠保持レバー用付勢手段とを有し、この開錠保時レバー用付勢手段により施錠用ロックプレートを開錠位置に保持している状態において、施錠穴からロックプラグが挿入されると、ロッグプラグの先端は施錠用ロック穴に挿入されている開錠保持レバーを前記開錠保持レバー用付勢手段の付勢力に抗してロック穴に挿入されることを要旨とする。
【００１７】
請求項４記載の本発明にあっては、開錠保持レバー用付勢手段により施錠用ロックプレートが開錠位置に保持されている状態において、施錠穴からロックプラグが挿入されると、ロックプラグの先端は施錠用ロック穴に挿入されている開錠保持レバーを開錠保持レバー用付勢手段の付勢力に抗してロック穴に挿入されるため、電気錠装置を開錠させるために、施錠用形状記憶ワイヤに通電を行う必要がなく、操作性を向上することができる。
【００１８】
また、請求項５記載の本発明は、請求項１乃至４のいずれか１項に記載の発明において、前記施錠用形状記憶ワイヤおよび熱対策用形状記憶ワイヤの少なくともいずれか一方は、ワイヤ長を確保するためのプーリを有することを要旨とする。
【００１９】
請求項５記載の本発明にあっては、施錠用形状記憶ワイヤおよび熱対策用形状記憶ワイヤの一方または両方は１個以上のプーリに掛け渡されて形状記憶ワイヤ長の長さが所定長だけ確保される。これにより、形状記憶ワイヤの長さを長くして、形状記憶ワイヤの全体の収縮長を極力大きくすることができ、例えば電気錠装置を小型に構成しても、複数のプーリを用いることにより大きな収縮長を得ることができる。
【００２０】
更に、請求項６記載の本発明は、請求項１乃至５のいずれか１項に記載の電気錠装置のロックプラグに施錠ワイヤの一端を取り付け、施錠ワイヤの他端を電気錠装置に固定することにより、ワイヤ錠形式または南京錠形式の電気錠装置として使用することを要旨とする。
【００２１】
請求項６記載の本発明にあっては、電気錠装置をワイヤ錠形式または南京錠形式の電気錠装置として使用することができる。
【００２２】
請求項７記載の本発明は、請求項１乃至５のいずれか１項に記載の電気錠装置のロックプラグを施錠ワイヤの一端に取り付け、前記施錠ワイヤの他端および電気錠装置をそれぞれ施錠対象の一方の部位と他方の部位に固定的に取り付け、前記施錠ワイヤの一端に取り付けられたロックプラグを施錠穴に挿入して施錠することによりチェーン錠形式の電気錠装置として使用することを要旨とする。
【００２３】
請求項７記載の本発明にあっては、電気錠装置をチェーン錠形式の電気錠装置として使用することができる。
【００２４】
【発明の実施の形態】
以下、図面を用いて本発明の実施の形態を説明する。図１（ａ）、（ｂ）は、本発明の一実施形態に係わる電気錠装置の全体構成を示す斜視図であり、特に同図（ａ）は施錠されていない開錠状態を示す斜視図であり、同図（ｂ）は施錠を示す斜視図である。
【００２５】
図１（ａ）に示すように、本実施形態の電気錠装置は、施錠機構を内蔵している施錠ユニット１を有し、この施錠ユニット１の前面１ａには上方寄りに施錠穴７が形成され、下方寄りには施錠ワイヤ３の一端が取り付けられている。また、この施錠ワイヤ３の他端にはロックプラグ５が取り付けられている。
【００２６】
また、ロックプラグ５は、施錠ワイヤ３の他端が取り付けられている太径の基部５７と、この基部５７に続いて若干細径に形成された連結部５５と、この連結部５５に続いて最も細く形成された最細径部５３と、この最細径部５３に続いて連結部５５と同じ径に形成された施錠用引っ掛かり部５１と、この施錠用引っ掛かり部５１の端部に先端が尖がって形成されたテーパ部５９とから構成されている。
【００２７】
ロックプラグは、基部５７の設けられている側と反対側の先端部から、すなわちテーパ部５９の形成されている先端部から図１（ｂ）に示すように施錠穴７に挿入すると、ロックプラグ５の施錠用引っ掛かり部５１、最細径部５３、連結部５５は施錠穴７を貫通し、基部５７が前面１ａに当接して停止するとともに、施錠穴７を貫通して施錠ユニット１内に侵入した施錠用引っ掛かり部５１は施錠ユニット１内で図示しない施錠機構にロックされ、これによりロックプラグ５は施錠ユニット１から抜けなくなって、施錠ワイヤ３で施錠ループを形成して施錠状態になる。
【００２８】
このように施錠ワイヤ３の一端を施錠ユニット１に固定的に取り付け、他端に取り付けたロックプラグ５を施錠ユニット１の施錠穴７に挿入して、施錠ワイヤ３をループ状に施錠する電気錠装置は、例えば自転車のロックなどに使用されているワイヤ錠形式のロック装置または南京錠の代わりとして使用し得るものである。
【００２９】
施錠ユニット１内に内蔵されている施錠機構は、詳しくは、施錠ユニット１の外枠として前面１ａのみが示されている図２に示すように、この前面１ａに平行に配設された施錠用ロックプレート９を有し、この施錠用ロックプレート９には施錠穴７と同径の施錠用ロック穴９ａが形成されている。なお、施錠用ロックプレート９は、図３で説明するように前面１ａに近接して平行に設けられ、前面１ａの施錠穴７を上述したように貫通したロックプラグ５の先端部である施錠用引っ掛かり部５１は施錠用ロック穴９ａも貫通し得るようになっている。
【００３０】
施錠用ロックプレート９は、一端がばね固定部品１７に取り付けられ、他端が施錠用ロックプレート９の下端部に取り付けられた圧縮形の施錠用ばね１３によって図２で上方、すなわちばね固定部品１７から離れる方向に押動されていて、この施錠用ばね１３により後述するように施錠位置に移動するように付勢されている。なお、施錠用ばね１３は本発明の施錠用付勢手段を構成するものである。
【００３１】
また、施錠用ロックプレート９の下端部には施錠用形状記憶ワイヤ１１の一端が取り付けられ、この施錠用形状記憶ワイヤ１１の他端はばね固定部品１７を貫通してワイヤ固定部品１５に取り付けられている。施錠用形状記憶ワイヤ１１は一端が本実施形態ではワイヤ固定部品１５に取り付けられているが、この一端は施錠ユニット１内の任意の場所に取り付けられれば良いものである。
【００３２】
施錠用形状記憶ワイヤ１１は、所定温度以上に加熱されると、収縮し、所定温度以下に冷却されると、伸張する性質を有する形状記憶合金で形成されている。本実施形態の施錠用形状記憶ワイヤ１１は、特に低電圧、低電流で加熱されて収縮するものであり、例えば３Ｖの電池で２００ｍＡ程度の電流を１〜３秒程度流すと、例えば８０°Ｃの所定温度以上に加熱され、約５％収縮する。
【００３３】
また、施錠用形状記憶ワイヤ１１は、電線１９ａ，１９ｂを介して電子回路２１０にさ接続され、電子回路２１０においてスイッチ２１１を介して開錠用電源２１に接続され、この開錠用電源２１からスイッチ２１１を介して電流を供給されて加熱されるようになっている。すなわち、施錠用形状記憶ワイヤ１１は、開錠用電源２１からスイッチ２１１、電線１９ａ、１９ｂを介して電流を供給されて加熱されると、上述したように収縮し、これにより施錠用ロックプレート９を施錠用ばね１３の付勢力に抗して図２では下方に、すなわち施錠用ばね１３に近づく方向に引っ張って、後述するように施錠用ロックプレート９を開錠位置に移動させるようになっている。
【００３４】
なお、電子回路２１０のスイッチ２１１は、例えば施錠ユニット１の外部に設けられた電子認証装置から供給される制御信号で閉成制御されたり、または施錠ユニット１の内部に設けられている図示しない電子認証用回路において外部からの電手認証情報が正しいものであるか否かを判定し、正しい場合のみ、スイッチ２１１に制御信号を供給し、スイッチ２１１を閉成制御するようになっているものである。また、この場合の認証には、通常パスワード（暗証番号）、磁気／ＩＣカード、ＩＣ内蔵ユニット、指紋、虹彩、掌形、静脈、顔などの生体情報などが用いられる。
【００３５】
次に、図３を参照して、図１および図２に示した実施形態の電気錠装置の作用について説明する。
【００３６】
図３（ａ）〜（ｅ）は、図２で説明した施錠ユニット１の前面１ａ、施錠用ロックプレート９、ロックプラグ５、施錠用形状記憶ワイヤ１１、施錠用ばね１３を横方向から見た側面図であるが、これらの図に示すように、施錠穴７の形成されている施錠ユニット１の前面１ａと施錠用ロック穴９ａの形成されている施錠用ロックプレート９とは、比校的近接して平行に配設されるとともに、施錠穴７および施錠用ロック穴９ａは、同図（ｂ）、（ｃ）に示す場合には穴同士の位置が完全に一致して対向するように配設されるが、同図（ａ）、（ｄ）、（ｅ）に示す場合には、施錠用ロック穴９ａは、施錠穴７よりも上方に移動し、具体的には施錠用ばね１３の付勢力により施錠穴７よりも上方に移動し、施錠用ロック穴９ａおよび施錠穴７は穴同士の位置が一致しないようになっている。
【００３７】
なお、施錠用ロック穴９ａが施錠穴７と一致しない上方に移動している場合の施錠用ロック穴９ａの位置を施錠位置と称し、施錠用ロック穴９ａが施錠穴７と一致している場合の施錠用ロック穴９ａの位置を開錠位置と称することにする。
【００３８】
図３（ａ）は、ロックプラグ５を施錠ユニット１の前面１ａの施錠穴７から挿入して施錠が行われている施錠状態を示し、この施錠状態では開錠動作を行わない限り、ロックプラグ５を挿入と逆方向に、すなわち図２で矢印１０１で示す挿入方向と逆方向に引き戻そうとしてもロックプラグ５を施錠穴７から取り外すことはできない。この施錠状態では、ロックプラグ５は、テーパ部５９、施錠用引っ掛かり部５１が施錠穴７および施錠用ロック穴９ａを貫通して、施錠用ロック穴９ａの先に延出し、最細径部５３は施錠用ロック穴９ａの縁に接触して施錠用ロック穴９ａの所に位置し、連結部５５は施錠穴７に嵌合し、ロックプラグ基部５７は前面１ａで施錠穴７への貫通を阻止されて停止している。
【００３９】
また、図３（２）の施錠状態では、施錠用ロックプレート９が施錠用ばね１３の付勢力により上方に押動され、これにより施錠用ロック穴９ａは上方に移動した施錠位置にあるため、施錠用ロック穴９ａを貫通して施錠用ロック穴９ａの先に延出した施錠用引っ掛かり部５１は施錠用ロック穴９ａに引っ掛かるようになっていて、具体的にはロックプラグ５を上述したように挿入と逆方向に引き戻そうとしても、施錠用引っ掛かり部５１が施錠用ロック穴９ａに引っ掛かって引き抜くことができず、施錠状態は完全に維持されている。
【００４０】
次に、このような施錠状態において、施錠用形状記憶ワイヤ１１に通電を行うと、施錠用形状記憶ワイヤ１１は加熱されて収縮し、図３（ｂ）において矢印１０２で示すように、施錠用ロックプレート９を下方に引き込んで開錠位置に移動させる。この結果、施錠用ロック穴９ａは、施錠穴７に完全に一致し、施錠用ロック穴９ａの縁は最細径部５３との接触からも離れることになる。
【００４１】
図３（ｂ）に示す通電状態において、ロックプラグ５を図３（ｃ）において矢印１０３で示すようにロックプラグ５の挿入と逆方向に引っ張って引き戻すと、ロックプラグ５の先端の施錠用引っ掛かり部５１は、施錠用ロック穴９ａに引っ掛かることもなく、施錠用ロック穴９ａを逆方向に通過し、ロックプラグ５は施錠ユニット１の施錠穴７から抜け、開錠される。
【００４２】
図３（ｃ）に示すように通電による開錠状態の後、施錠用形状記憶ワイヤ１１に対する通電をやめると、施錠用形状記憶ワイヤ１１は加熱された収縮状態から解放され、元の状態に伸張するため、施錠用ロックプレート９は、施錠用ばね１３の付勢力により図３（ｄ）において矢印１０４で示すように上方に押動され、施錠位置に移動する。なお、この施錠位置では、施錠用ロック穴９ａは施錠穴７に一致しない上方に位置している。
【００４３】
図３（ｄ）に示すように、施錠用ロックプレート９が施錠位置にある開錠後の無通電状態、すなわち電気錠装置が使用されてなく、また施錠もされていない状態（この状態を未施錠状態と称することにする）において、ロックプラグ５を施錠穴７から挿入すると、ロックプラグ５は、先端のテーパ部５９が施錠穴７を貫通し、続いて施錠用引っ掛かり部５１が施錠穴７を貫通すると、先端のテーパ部５９が施錠位置にある施錠用ロックプレート９の施錠用ロック穴９ａに当接することになるが、この時ロックプラグ５を強く押しこむと、テーパ部５９の傾斜部が施錠用ロック穴９ａを押し開けて施錠用ロック穴９２内に挿入され、図３（ｅ）において矢印１０５で示すようにテーパ部５９および施錠用引っ掛かり部５１は施錠用ロック穴９ａを貫通する。
【００４４】
このようにロックプラグ５のテーパ部５９および施錠用引っ掛かり部５１が施錠用ロック穴９ａを貫通すると、施錠用ロックプレート９は施錠用ばね１３の付勢力により元の施錠位置に戻り、施錠用ロック穴９ａは施錠穴７に一致する位置からずれて、最細径部５３に接触する。この結果、施錠用引っ掛かり部５１は、例えば図３（ｃ）に示す矢印１０３で示す方向に引き抜こうとしても、施錠用ロック穴９ａに引っ掛かって抜くことができず、施錠状態になる。
【００４５】
なお、上記説明では、図３（ｄ）に示す未施錠状態から図３（ｅ）に示す施錠状態にするのに、ロックプラグ５を先端のテーパ部５９から施錠穴７に挿入してから、強く押し込んで、テーパ部５９の傾斜部で施錠用ロック穴９ａを押し開け、これによりロックプラグ５の先端のテーパ部５９および施錠用引っ掛かり部５１を施錠用ロック穴９ａ内に挿入し、貫通させて施錠状態にしているが、この代わりに、図３（ｄ）に示す未施錠状態からロックプラグ５を施錠穴７に挿入して施錠状態にするに当たり、施錠用形状記憶ワイヤ１１に対して通電を行い、これにより施錠用ロックプレート９を開錠位置に移動させ、施錠用ロック穴９ａを施錠穴７に完全に一致させてから、ロックプラグ５を先端から施錠穴７に挿入すれば、先端のテーパ部５９および施錠用引っ掛かり部５１は施錠用ロック穴９ａに引っ掛かることなく、スムーズに施錠用ロック穴９ａを貫通する。そこで、このように貫通した後、施錠用形状記憶ワイヤ１１に対する通電を停止すると、施錠用形状記憶ワイヤ１１は元の位置に戻り、これにより施錠用ロックプレート９も図３（ｅ）に示す施錠位置に戻り、施錠状態が維持されることになる。
【００４６】
図４は、本発明の他の実施形態に係わる電気錠装置の構造を示す分解斜視図である。
【００４７】
図４に示す実施形態の電気錠装置は、図１、図３に示した実施形態の電気錠装置において複数の円筒形からなるロックプラグ５、円形の施錠穴７および施錠用ロック穴９ａをそれぞれ複数の矩形からなるロックプラグ５ａ、横長の矩形の施錠穴７ａおよび横長の矩形と短い矩形を組合せた施錠用ロック穴１０に置き換えた点が異なるものであり、その他の構成および作用は図１〜図３の実施形態と同じであり、同じ構成要素には同じ符号を付している。
【００４８】
詳しくは、ロックプラグ５ａは、施錠ユニット１の前面１ａに形成された横長の施錠穴７ａを貫通し得るように施錠穴７ａの大きさに合致した横長で矩形の施錠円引っ掛かり部５１ａと、この施錠用引っ掛かり部５１ａに続く矩形の最細径部５３ａと、施錠ワイヤ３の取り付けられた少し大きめの矩形の基部５７ａから構成されている。また、施錠用ロックプレート９に形成された施錠用ロック穴１０は、ロックプラグ５ａの施錠用引っ掛かり部５１ａが貫通する施錠穴７ａと同じ大きさの横長で短形の施錠用横長状ロック穴１０ａと、この施錠用横長状ロック穴１０ａの下部中央に短く形成された施錠用短形ロック穴１０ｂとから構成されている。
【００４９】
以上のように構成される実施形態の電気錠装置においては、その施錠は、図１〜図３の実施形態と同様にロックプラグ５ａを施錠穴７ａに対して矢印１０７で示すように挿入することにより行われるが、この電気錠装置も先の実施形態の電気錠装置と同様に未施錠状態では、すなわち開錠後の無通電状態では、図３（ｄ）で説明したように、施錠用ロックプレート９は上方の施錠位置に移動しているとともに、またロックプラグ５ａの先端には図１で示したロックプラグ５のように先端にテーパ部５９がなく、更にロックプラグ５ａや施錠用ロック穴１０は矩形であるため、このままの状態では、ロックプラグ５ａを施錠大７ａに挿入した場合、ロックプラグ５ａの先端の施錠用引っ掛かり部５１ａは、施錠穴７ａを貫通した後、施錠用引っ掛かり部５１ａは上方の施錠位置に移動した施錠用ロックプレート９の施錠用ロック穴１０にぶつかり、詳しくは、施錠用ロック穴１０は施錠用ロックプレート９とともに上方に移動しているため、施錠用横長状ロック穴１０ａの下の施錠用短形ロック穴１０ｂにぶつかり、この施錠用短形ロック穴１０ｂは小さいので、施錠用引っ掛かり部５１ａは施錠用ロック穴１０を貫通することはできない。
【００５０】
そこで、本実施形態の電気錠装置において、ロックプラグ５ａを施錠穴７ａに挿入して施錠するためには、まず施錠用形状記憶ワイヤ１１に通電を行って、施錠用ロックプレート９を下方の開錠位置に移動させ、施錠用横長状ロック穴１０ａの位置を施錠穴７ａに一致させるようにする。そして、このように施錠用形状記憶ワイヤ１１の通電により施錠用横長状ロック穴１０ａを施錠穴７ａに一致させた後、通電したままの状態でロックプラグ５ａを先端から施錠穴７ａに挿入する。
【００５１】
このようにロックプラグ５ａを施錠穴７ａに挿入すると、ロックプラグ５ａの先端の施錠用引っ掛かり部５１ａは、施錠穴７ａを貫通した後、更に施錠用横長状ロック穴１０ａを貫通して、その先に延出し、施錠用ロック穴１０の所にはロックプラグ５ａの最細径部５３ａが位置することになる。従って、この貫通後に施錠用形状記憶ワイヤ１１に対する通電を停止すると、施錠用形状記憶ワイヤ１１は伸張し、施錠用ロックプレート９は施錠用ばね１３の付勢力により上方の施錠位置に移動する。
【００５２】
また、施錠用ロック穴１０の所には、施錠用ロック穴１０を貫通したロックプラグ５ａの最細径部５３ａが位置していて、この最細径部５３ａは施錠用ロック穴１０の施錠用短形ロック穴１０ｂと同じ大きさに形成されているので、施錠用ロックプレート９の上方への移動により施錠用ロック穴１０も上方に移動し、これにより施錠用短形ロック穴１０ｂにはロックプラグ５の最細径部５３ａが嵌合し、この嵌合状態の先に施錠用引っ掛かり部５１ａが貫通して突出していることになる。
【００５３】
最細径部５３ａが施錠用短形ロック穴１０ｂに嵌合すると、この嵌合の先に貫通して突出している施錠用引っ掛かり部５１ａは、施錠用短形ロック穴１０ｂよりも特に横長で大きいため、ロックプラグ５ａを挿入と逆方向に引き抜こうとしても、施錠用引っ掛かり部５１ａが最細径部５３ａの周囲の施錠用ロックプレート９に引っ掛かって、引き抜くことができず、これにより施錠状態が維持され、電気錠装置は施錠されることになる。
【００５４】
なお、上述したようにロックプラグ５ａを施錠穴７ａに挿入して、施錠状態になった後、ロックプラグ５ａを引き抜いて開錠するには、まず図３（ｂ）で説明したように施錠用形状記憶ワイヤ１１に通電を行って、施錠用ロックプレート９を下方の開錠位置に移動させ、施錠用横長状ロック穴１０ａを施錠穴７ａに一致させる。それから、図３（ｅ）で説明したように矢印１０３の方向にロックプラグ５ａを引っ張ると、施ロックプラグ５ａの先端の錠用引っ掛かり部５１ａは施錠用横長状ロック穴１０ａを逆方向に通過し、更に施錠穴７ａを通過して引き抜かれ、これにより開錠状態になる。
【００５５】
このように開錠して、ロックプラグ５ａを施錠穴７ａから引き抜いた後は、施錠用形状記憶ワイヤ１１への通電を停止すると、図３（ｅ）と同様に開錠後の無通電状態である未施錠状態になる。
【００５６】
図５は、本発明の更に他の実施形態に係わる電気錠装置の構成を示す分解斜視図である。
【００５７】
図５に示す実施形態の電気錠装置は、図４に示した電気錠装置が外部から熱を例えばドライヤなどにより直接加えられることにより不正開錠しないように阻止するとともに、施錠状態から開錠状態にする場合に必要であった施錠用形状記憶ワイヤ１１への通電を廃止するために、熱対策用ロックプレート２３と開錠保持レバー３７を図４の実施形態に追加することに加えて、更に図４の実施形態のロックプラグ５ａに施錠用引っ掛かり部５１ａと同じ形の熱対策用引っ掛かり部５４ａを新たに追加してロックプラグ５ｂとして構成している点が図４の実施形態と異なるのみであり、その他の構成および作用は同じであり、同じ構成要素には同じ符号を付している。
【００５８】
更に詳しくは、熱対策用ロックプレート２３は、施錠用ロックプレート９の施錠用ロック穴１０と上下逆さに形成されている熱対策用横長状ロック穴２５ａと熱対策用短形ロック穴２５ｂからなる熱対策用ロック穴２５が形成されるとともに、ばね固定部品３１に取り付けられた圧縮形の熱対策用ばね２９により上方に押動されて開錠位置に移動するように付勢され、更にワイヤ固定部品３３に取り付けられた熱対策用形状記憶ワイヤ２７が下端に取り付けられていて、この熱対策用形状記憶ワイヤ２７に加熱されて収縮すると、この収縮により熱対策用ロックプレート２３は熱対策用ばね２９に抗して下方の付勢開錠防止位置に移動させられるように構成されている。なお、熱対策用ロックプレート２３が熱対策用ばね２９で上方に押動されて開錠位置に移動している場合には、熱対策用横長状ロック穴２５ａが施錠穴７ａに一致する位置にあり、施錠穴７ａを貫通したロックプラグの施錠用引っ掛かり部５１ａが続いて熱対策用横長状ロック穴２５ａもスムーズに貫通し得るようになっている。
【００５９】
また、開錠保持レバーＢ７は、施錠用横長状ロック穴１０ａに挿入し得るように断面が施錠用横長状ロック穴１０ａと同じ形に形成された板部材で形成きれ、この板状の開錠保持レバー３７の下側後方寄りには基台部３９が取り付けられ、この基台部３９の後端部を圧縮形の施錠保持レバー用ばね４１で施錠用横長状ロック穴１０ａに向かう方向に押動されるように付勢されている。なお、開錠保持レバー用ばね４１は端部がばね固定部品４３に取り付けられている。
【００６０】
ロックプラグ５ｂに新たに追加された熱対策用引っ掛かり部５４ａは、施錠用引っ掛かり部５１ａと同じ形に形成されて、最細径部５３ａの途中に設けられ、熱対策用ロックプレート２３の熱対策用横長状ロック穴２５ａに挿入し得るように熱対策用横長状ロック穴２５ａの外形と同じ形に形成されている。また、最細径部５３ａは熱対策用引っ掛かり部５４ａにより第１の最細径部５３ａａと第２の最細径部５３ａｂとの２つの部分に分割され、第１の最細径部５３ａａは施錠用短形ロック穴１０ｂに嵌合し、第２の最細径部５３ａｂは熱対策用ロックプレート２３の熱対策用短形ロック穴２５ｂに嵌合するようになっている。
【００６１】
以上のように構成される電気錠装置において、まず開錠保持レバー３７の開錠保持機能について説明する。
【００６２】
開錠保持レバー３７は、通常状態、すなわち未施錠状態においては、異なる実施形態を示している図であるが、例えば図７（ａ）を参照すると、同図において符号９１と３７で示すように、施錠用ロックプレート９（９１）の施錠用横長状ロック穴１０ａに嵌合し、施錠用ロックプレート９が施錠用ばね１３の付勢力により上方の施錠位直に移動することを阻止し、施錠用ロックプレート９を開錠位置に保持している。
【００６３】
このように開錠保持レバー３７が施錠用横長状ロック穴１０ａに嵌合して、施錠用ロックプレート９を開錠位置に保持している状態の未施錠状態において、ロックプラグ５ｂを施錠穴７ａに矢印１０８で示すように挿入すると、ロックプラグ５ｂの施錠用引っ掛かり部５１ａは、施錠穴７ａ、熱対策用横長状ロック穴２５ａを貫通し、施錠用横長状ロック穴１０ａに嵌合している開錠保持レバー３７の先端に施錠用引っ掛かり部５１ａの先端が当接する。
【００６４】
このように施錠用引っ掛かり部５１ａの先端が開錠保持レバー３７の先端に当接した状態でロックプラグ５ｂを更に強く施錠穴７ａに挿入するように押し込むと、施錠用引っ掛かり部５１の先端は開錠保持レバー用ばね４１の付勢力に抗して開錠保持レバー３７を押し戻しながら施錠用横長状ロック穴１０ａ内に入り込み、施錠用横長状ロック穴１０ａを貫通し、異なる実施形態を示している図であるが、例えば図６（ａ）において５１ｂと３７で示すように、施錠用引っ掛かり部５１ａ（５１ｂ）の先端は開錠保持レバー３７に当接した状態で開錠保持レバー３７を押し戻しながら施錠用横長状ロック穴１０ａを貫通すると、施錠用ロックプレート９が施錠用ばね１３の付勢力により上方に押動され、施錠用引っ掛かり部５１ａに続く第１の最細径部５３ａａは施錠用短形ロック穴１０ｂに嵌合して停止する。
【００６５】
すなわち、本実施形態では、未施錠状態において、開錠保持レバー３７が施錠用横長状ロック穴１０ａに嵌合し、施錠用ロックプレート９が上方の施錠位置に移動することを防止し、これにより施錠用横長状ロック穴１０ａを施錠穴７ａ、熱対策用横長状ロック穴２５ａと同じ位置に保持しているので、先の実施形態のように施錠用形状記憶ワイヤ１１に通電することなく、ロックプラグ５ｂを施錠穴７ａに挿入して施錠状態にすることができるのである。
【００６６】
また、施錠用引っ掛かり部５１ａの先端が開錠保持レバー３７に当接して押し込み、貫通してから、施錠用引っ掛かり部５１ａに続く第１の最細径部５３ａａが施錠用短形ロック穴１０ｂに嵌合して、施錠状態にある電気錠装置を開錠状態にする。そのために、施錠用形状記憶ワイヤ１１に通電すると、施錠用ロックプレート９は施錠用形状記憶ワイヤ１１の収縮により施錠用ばね１３の付勢力に抗して下方に移動し、第１の最細径部５３ａａは施錠用短形ロック穴１０ｂとの嵌合から外れ、施錠用横長状ロック穴１０ａは開錠位置に移動する。こにより施錠用引っ掛かり部５１ａは施錠用短形ロック穴１０ｂの周囲の施錠用ロックプレート９に引っ掛かることもなく、開錠保持レバー３７とともに当接したまま、開錠保持レバー用ばね４１の付勢力により、またはロックプラグ５ａを人手などにより引き戻す力により施錠用横長状ロック穴１０ａを矢印１０８と逆方向に引き戻されて施錠用横長状ロック穴１０ａから抜け出す。
【００６７】
この抜け出す動作において、施錠用引っ掛かり部５１ａは、施錠用横長状ロック穴１０ａを抜け出した後、更に熱対策用横長状ロック穴２５ａ、施錠穴７ａを抜け出し、ロックプラグ５ｂは施錠ユニット１から取り外され、開錠状態になるが、開錠保持レバー３７は施錠用横長状ロック穴１０ａから抜け出ると、開錠保持レバー３７の下側に取り付けられている基台部３９が施錠用ロックプレート９に当接し、例えば図７（ａ）で９１と３７で示すように、開錠保持レバー３７は施錠用ロックプレート９（９１）の施錠用横長状ロック穴１０ａを逆方向に貫通して抜け出た、最初に説明した状態で停止する。
【００６８】
次に、熱対策用ロックプレート２３の不正開錠阻止機能、すなわち外部から例えばドライヤなどにより直接熱を加えられることにより不正開錠しないように阻止する機能について説明する。
【００６９】
本実施形態の電気錠装置は、施錠状態においてはロックプラグ５ｂの第１の最細径部５３ａａが施錠用ロックプレート９の施錠用短形ロック穴１０ｂに嵌合することにより、施錠用引っ掛かり部５１ａが施錠用短形ロック穴１０ｂの周囲の施錠用ロックプレート９に引っ掛かって施錠状態にあり、開錠できないようになっているものであるが、この施錠状態において施錠用形状記憶ワイヤ１１を例えばドライヤなどにより加熱すると、施錠用形状記憶ワイヤ１１は収縮し、熱対策用ロックプレート２３がないとすると、施錠用ロックプレート９は施錠用ばね１３の付勢力に抗して下方の施錠位置に移動するため、施錠用引っ掛かり部５１ａは施錠用横長状ロック穴１０ａを容易に逆方向に引き戻されて開錠されることになる。
【００７０】
このような開錠を阻止するために熱対策用ロックプレート２３や熱対策用形状記憶ワイヤ２７などが設けられている。すなわち、施錠用形状記憶ワイヤ１１が上述したように例えばドライヤなどにより加熱されると、ほぼ同じ位置に配設されている熱対策用形状記憶ワイヤ２７も加熱されて収縮し、これにより熱対策用ロックプレート２３は熱対策用ばね２９の付勢力に抗して下方に移動し、熱対策用ロックプレート２３の熱対策用短形ロック穴２５ｂにロックプラグ５ｂの第２の最細径部５３ａｂが嵌合する。
【００７１】
このようにロックプラグ５ｂの第２の最細径部５３ａｂが熱対策用ロックプレート２３の熱対策用短形ロック穴２５ｂに嵌合すると、施錠用引っ掛かり部５１ａが施錠用横長状ロック穴１０ａを逆方向に引き戻されるように引っ張られても施錠用引っ掛かり部５１ａ、引いてはロックプラグ５ｂは引き抜くことができず、従って開錠することができないのである。なお、熱対策用形状記憶ワイヤ２７に対する不正な加熱を停止すると、熱対策用形状記憶ワイヤ２７は収縮状態から元に戻り、最初の状態になる。
【００７２】
なお、上述した各実施形態では、ロックプラグ５，５ａ，５ｂは、図１〜図３では円筒形の施錠用引っ掛かり部５１や最細径部５３などを用い、図４、図５では、矩形の施錠用引っ掛かり部５１ａや最細径部５３ａなどを使用して構成されているが、本発明はこれに限定されるものでなく、要はロックプラグは施錠状態において掛合し施錠されればよいものである。
【００７３】
図６および図７は、本発明の別の実施形態に係わる電気錠装置の構成を示す上面図である。
【００７４】
図６および図７の両図に赤す実施形態の電気錠装置は、図５に示した実施形態において施錠用形状記憶ワイヤ１１および熱対策用形状記憶ワイヤ２７をそれぞれ複数のプーリ４５ａ〜４５ｄおよび４７ａ〜４７ｄに掛け渡して、くねくねと蛇行させることにより、その長さを長くし、形状記憶ワイヤの全体の収縮長を極力大きくし、例えば小型な施錠ユニット１でも複敏のプーリ４５ａ〜４５ｄ、プーリ４７ａ〜４７ｄを用いることにより大きな収縮長を得るようにしている点が異なるものであり、その他の構成および作用は図５の実施形態と同じであり、同じ構成要素には同じ符号を付している。
【００７５】
なお、図６は、ロックプラグ５ｂの先端の施錠用引っ掛かり部５１ａが施錠用ロックプレート９の施錠用横長状ロック穴１０ａを貫通して、施錠状態にある電気錠装置を示し、図７は、ロックプラグ５ｂが施錠穴７ａから抜け出て、開錠状態にある電気錠装置を示している。
【００７６】
図８（ａ）、（ｂ）は、図５に示した実施形態の電気錠装置においてロックプラグ５ｂが一端に取り付けられた施錠ワイヤ３の他端を施錠ユニット１から取り外してワイヤ固定部品３０１に取り付けて構成される更に別の実施形態に係わる電気錠装置を示す斜視図であり、同図（ａ）はロックプラグ５ｂが施錠ユニット１の施錠穴７ａに挿入されていない開錠状態を示し、同図（ｂ）はロックプラグ５ｂが施錠ユニット１の施錠穴７ａに挿入されて開錠された状態を示している。
【００７７】
図８に示す実施形態の電気錠装置は、例えば玄関のロックなどに使用されるチェーン錠のように使用することができる。具体的には、図９（ａ）に示すように、壁面書庫の観音扉形弐、すなわち両開き形式の扉を図８の電気錠装置で施錠する例を示す図である。この例では、施錠ユニット１を一方の扉に固定し、他方の扉にワイヤ固定部品３０１を固定し、ワイヤ固定部品３０１から施錠ワイヤ３を介して伸びたロックプラグ５ｂを施錠ユニット１の施錠穴７ａに挿入して施錠している。
【００７８】
また、図９（ｂ）は、事務机の上に置かれたパソコンが盗難などされないように図１に示した電気錠装置を南京錠などの代わりに用いて施錠する例を示している。この例では、施錠ユニット１を事務机の上に固定的に取り付けるとともに、電気錠装置とは別のパソコンロックワイヤ４０１を事務机の脚にからませながらパソコンを事務机に取り付けてから、このパソコンロックワイヤ４０１に施錠ユニット１の前面１ａに取り付けられている施錠ワイヤ３をくぐらせるようにからませた後、施錠ワイヤ３の端部に取り付けられているロックプラグ５を施錠ユニット１の施錠穴７に挿入して施錠している。なお、この詳細については、図１０で説明する。
【００７９】
図９（ｃ）は、複数段のファイルキャビネットの各段に図８の電気錠装置を取り付けて施錠する例を示している。すなわち、この例では、各段の前面に施錠ユニット１を取り付け、ファイルキャビネットの側部に各段に対応してワイヤ固定部品３０１を取り付け、ワイヤ固定部品３０１から施錠ワイヤ３を介して伸びているロックプラグ５ｂを施錠ユニット１の施錠穴７ａに挿入して施錠している。
【００８０】
図９（ｄ）は、引き違い書庫の両方の扉を図８の電気錠装置で施錠する例を示している。この例では、各扉の前面に施錠ユニット１を固定し、側面にワイヤ固定部品３０１を固定し、ワイヤ固定部品３０１から施錠ワイヤ３を介して伸びているロックプラグ５ｂを施錠ユニット１の施錠穴７ａに挿入して施錠している。
【００８１】
図９（ｅ）は、縦長のサーバーラックの片開きの扉を図８の電気錠装置で施錠する例を示している。この例では、サーバーラックの前面の扉に施錠ユニット１を固定的に取り付け、側面にワイヤ固定部品３０１を固定的に取り付け、ワイヤ固定部品３０１から施錠ワイヤ３を介して伸びているロックプラグ５ｂを施錠ユニット１の施錠穴７ａに挿入して施錠している。
【００８２】
なお、図９に示した電気錠装置の応用例において、施錠ユニット１やワイヤ固定部品３０１の扉や側面への固定的取り付けは、例えば固定される扉や側面に穴をあけてボルトで固定することも可能であるし、また接着剤で固定してもよい。
【００８３】
図１０（ａ）は、図９（ｂ）に示したように図１に示した電気錠装置を南京錠などの代わりに用いて事務机の上に置かれたパソコンが盗難などされないように施錠する例を詳しく示している。なお、図１０（ｂ）は、図１の電気錠装置の代わりに従来の南京錠４０３を用いて施錠している例を示しているが、この例では、ノートパソコンの側部に取り付けられたパソコンロック用冶具にパソコンロックワイヤ４０１を取り付けた後、事務机の脚に絡ませたパソコンロックワイヤ４０１の端部とパソコンロックワイヤ４０１の途中の両方に南京錠４０３でループ状に連結して施錠している。
【００８４】
図１０（ａ）では、この南京錠４０３の代わりに施錠ユニット１に延出する施錠ワイヤ３の端部に取り付けられたロックプラグ５ａを施錠ユニット１の施錠穴７ａに挿入して施錠している。
【００８５】
なお、上記実施形態では、ロックプラグに施錠ワイヤが取り付けられている電気錠装置について説明したが、本発明はこれに限定されるものでなく、ロックプラグに施錠ワイヤが取り付けられてなく、すなわち施錠ワイヤがなく、ロックプラグと施錠ユニットのみで構成される電気錠装置でもよいものである。
【００８６】
【発明の効果】
以上説明したように、本発明によれば、施錠穴から挿入されたロックプラグの施錠用引っ掛かり部は施錠用ロックプレートの施錠用ロック穴を貫通すると、施錠用付勢手段により施錠用ロックプレートが施錠位置に押動されることにより引っ掛かって施錠状態になり、施錠用形状記憶ワイヤが通電されて、施錠用ロックプレートを開錠位置に移動させると、施錠用引っ掛かり部は施錠用ロック穴との引っ掛かりから外れて開錠されるので、従来の電気錠装置のようにソレノイドやモータを使用せずに低電力で作動する電気錠装置を単純な構造で経済的に構成でき、小型化および信頼性の向上を図ることができる。
【００８７】
また、本発明によれば、熱対策用付勢手段で開錠位置に付勢されている熱対策用ロックプレートに取り付けられている熱対策用形状記憶ワイヤが加熱されると、この熱対策用形状記憶ワイヤの収縮により熱対策用ロックプレートを施錠位置に移動させるので、外部から不正に熱を加えられても不正に開錠することがなく、信頼性の高い電気錠装置を実現することができる。
【００８８】
更に、本発明によれば、熱対策用形状記憶ワイヤが加熱されて施錠位置に移動すると、熱対策用引っ掛かり部が熱対策用ロック穴に掛合し施錠されるので、外部から不正に熱を加えられても不正に開錠することがなく、信頼性の高い電気錠装置を実現することができる。
【００８９】
本発明によれば、開錠保持レバー用付勢手段により施錠用ロックプレートが開錠位置に保持されている状態において、施錠穴からロックプラグが挿入されると、ロックプラグの先端は施錠用ロック穴に挿入されている開錠保持レバーを開錠保持レバー用付勢手段の付勢力に抗して押動しながらロック穴に挿入されるので、電気錠装置を開錠させるために、施錠用形状記憶ワイヤに通電を行う必要がなく、操作性を向上することができる。
【００９０】
また、本発明によれば、施錠用形状記憶ワイヤおよび熱対策用形状記憶ワイヤの一方または両方は１個以上のプーリに掛け渡されて長さを長くされているので、この長い形状記憶ワイヤの全体の収縮長を極力大きくでき、例えば電気錠装置を小型に構成しても、複数のプーリを用いることにより大きな収縮長を得ることができる。
【００９１】
本発明によれば、電気錠装置をワイヤ錠形式または南京錠形式の電気錠装置としたり、またはチェーン錠形式の電気錠装置として使用することができるので、広い用途に使用でき、利便性を向上することができる。
【図面の簡単な説明】
【図１】本発明の一実施形態に係わる電気錠装置の全体構成を示す斜視図である。
【図２】図１に示す実施形態の電気錠装置に使用されている施錠ユニットの内部の施錠機構を示す分解斜視図である。
【図３】図２に示す施錠機構の動作状態を示す断面図である。
【図４】本発明の他の実施形態に係わる電気錠装置の構造を示す分解斜視図である。
【図５】本発明の更に他の実施形態に係わる電気錠装置の構成を示す分解斜視図である。
【図６】本発明の別の実施形態に係わる電気錠装置の構造を示す上面図である。
【図７】図６に示す実施形態の電気錠装置の開錠状態を示す上面図である。
【図８】図５に示した実施形態の電気錠装置においてロックプラグが一端に取り付けられた施錠ワイヤの他端を施錠ユニットから取り外してワイヤ固定部品に取り付けて構成される更に別の実施形態に係わる電気錠装置を示す斜視図である。
【図９】図１および図８に示す電気錠装置の応用例を示す斜視図である。
【図１０】図９（ａ）に示した応用例の詳細を従来の南京錠を用いた場合と比較して示す斜視図である。
【符号の説明】
１…施錠ユニット
１ａ…施錠ユニットの前面
３…施錠ワイヤ
５，５ａ，５ｂ…ロックプラグ
７，７ａ…施錠穴
９…施錠用ロックプレート
９ａ，１０…施錠用ロック穴
１１…施錠用形状記憶ワイヤ
１３…施錠用ばね
２１…開錠用電源
２３…熱対策用ロックプレート
２５…熱対策用ロック穴
２７…熱対策用形状記憶ワイヤ
２９…熱対策用ばね
３７…開錠保持レバー
４１…開錠保持レバー用ばね
４５ａ〜４５ｄ，４７ａ〜４７ｄ…プーリ
５１，５１ａ…施錠用引っ掛かり部
５３，５３ａ…最細径部
５９…テーパ部
２１０…電子回路
【図１】
2005029971.tif 000003
【図２】
2005029971.tif 000004
【図３】
2005029971.tif 000005
【図４】
2005029971.tif 000006
【図５】
2005029971.tif 000007
【図６】
2005029971.tif 000008
【図７】
2005029971.tif 000009
【図８】
2005029971.tif 000010
【図９】
2005029971.tif 000011
【図１０】
2005029971.tif 000012